(57)【要約】      （修正有）【課題】精製用リアクター及び／又は石油化学リアクターに固体粒子を均一に充填するディスペンス装置の提供。【解決手段】システム２００が、固体粒子のリザーブ１３０及びディスペンス装置１１０に接続された可撓性スリーブ１４０と、可撓性スリーブの中を流れる固体粒子をブロックするブロック装置３１０を含む制御システム３００と、ブロック装置から離れた位置に配置され、ブロック装置を作動させる作動装置３５０とを含み、ブロック装置３１０は、可撓性スリーブの一部分１４１に隣接し、作動時において、前記一部分のところで前記スリーブの断面積を減じるように可撓性スリーブの壁部を移動させることができる、精製用リアクター及び／又は石油化学リアクター１００に固体粒子を充填するディスペンス装置。【選択図】図１
2019107649.tif 000002
【特許請求の範囲】
【請求項１】
精製用リアクター及び／又は石油化学リアクター（１００）に固体粒子を充填するためのアセンブリであって、
リアクター内への固体粒子の充填を均質化し及び／又は均一化するように構成された、リアクターに固体粒子を充填するためのディスペンス装置（１１０）と、
第一に固体粒子のリザーブ（１３０）に接続され、第二にディスペンス装置に接続され、上部から下部へ固体粒子を流すことができる可撓性スリーブを含む、ディスペンス装置に固体粒子を供給する供給システム（２００）と、
供給システムを制御する制御システム（３００）と、を含み、
制御システム（３００）が、
可撓性スリーブの一部分（１４１）に隣接し、作動時において、可撓性スリーブの有効断面積を一部分（１４１）のところで減じるように可撓性スリーブの壁部を移動させるために適合され、可撓性スリーブの中を流れる固体粒子をブロックするブロック装置（３１０）と、
ブロック装置から離れた位置に配置され、ブロック装置を作動させる作動装置（３５０）と、を有していることを特徴とするアセンブリ。
【請求項２】
ブロック装置（３１０）が、ブロック装置に隣接した一部分（１４１）のところで可撓性スリーブが通過する硬質の又は半硬質の延長パイプ（１１４）に対して可撓性スリーブ（１４０）の壁部を押し付けるように構成されていることを特徴とする、請求項１に記載のアセンブリ。
【請求項３】
ブロック装置（３１０）が、気体供給パイプ（３１２）に空圧的に接続されたバルーン要素（３１１）を含むことを特徴とする、請求項１又は２に記載のアセンブリ。
【請求項４】
バルーン要素（３１１）が、単管（３１２）によって空圧ネットワークに接続されるように構成されていることを特徴とする、請求項３に記載のアセンブリ。
【請求項５】
バルーン要素（３１１）が、可撓性材料によって形成され、気密的に結合された二つの平らなパーツを含むことを特徴とする、請求項３又は４に記載のアセンブリ。
【請求項６】
ディスペンス装置（１１０）が、垂直方向に対して直角な成分の速度を固体粒子に与えるように適合された分散手段（１１８，１１９）を含むことを特徴とする、請求項１〜５のいずれかに記載のアセンブリ。
【請求項７】
分散手段が、ブレード（１１９）及び垂直軸周りにこれらのブレードを回転させるモーターを含むことを特徴とする、請求項６に記載のアセンブリ。
【請求項８】
精製用リアクター及び／又は石油化学リアクターへの触媒粒子及び／又は不活性ビーズの充填を管理するための、請求項１〜７のいずれかに記載のアセンブリの使用。
【請求項９】
精製用リアクター及び／又は石油化学リアクターに固体粒子を充填するためのディスペンス装置に固体粒子を供給する供給システムを制御する方法であって、
ディスペンス装置が、固体粒子の充填を均質化し及び／又は均一化するように構成され、
第一に固体粒子のリザーブに接続され、第二にディスペンス装置に接続され、概して上部から下部へ固体粒子を内側に流すことができる可撓性スリーブを、供給システムが含み、
可撓性スリーブの有効断面積を減じるように、可撓性スリーブの壁部を移動させるように構成された、可撓性スリーブの中を流れる固体粒子をブロックするブロック装置の遠隔的な作動を命令するステップ（４１７）を含むことを特徴とする、供給システムの制御方法。
【請求項１０】
請求項９に記載の方法のステップを実行するための指令がプロセッサによって実行されるときに、請求項９に記載の方法のステップを実行するための指令を含むコンピュータプログラム。
【発明の詳細な説明】
【技術分野】
【０００１】
本発明は、精製用リアクター及び／又は石油化学リアクターに固体粒子を充填するディスペンス装置に固体粒子を供給することに関する。
【背景技術】
【０００２】
この種のリアクターに、固体粒子を分離状態で充填することが知られている。これらの固体粒子は、例えば、ビーズ状、粒状、円筒状、ペレット状、棒状、又は、他の形状とすることができ、また、概して比較的小さい寸法、例えば、センチメートル範囲の寸法とすることができる。
【０００３】
特に、固体粒子は、概して押し出され、規則的な形状、又は、モノローブロッド或いはマルチローブロッドの形状に製造され、状況により１０分の数ミリメートルから数センチメートルまでの寸法にできる固体触媒粒子とすることができる。本発明に係る装置は、「高密度充填」と呼ばれる、本明細書の後述部分において具体的に参照される精製用リアクター及び／又は石油化学リアクターに触媒粒子を適用するためのものであるが、この装置は、リアクターに固体粒子を充填する際、より一般的に使用することが可能である。
【０００４】
「高密度充填」とは、最短時間で最大量の固体粒子を、均質かつ可能な限り均一に充填させるために最適化されたレイン効果による充填を意味する。
【０００５】
出願人名義の国際公開公報ＷＯ２０１０／０７６５２２には、リアクターへ固体粒子を供給する装置の例が記載されている。このディスペンス装置は、リアクター内の上部中央に配置された充填開口部に取り付けられている。
【０００６】
固体粒子のリザーブからディスペンス装置へ向かって、可撓性スリーブの中を単純に重力に従って固体粒子を流すことができるように、フレキシブルパイプ又は可撓性スリーブによって、固体粒子のディスペンス装置を固体粒子のリザーブに接続することが知られている。スリーブの壁部はフレキシブルで、通常はハサミや他の手段により簡単に分断できるため、スリーブの長さは、調整が比較的に簡単である。従って、可撓性スリーブを使用すれば、リザーブ（例えば、ホッパー）と、充填装置との間における様々な構成への調整が可能である。
【０００７】
従来、固体粒子の充填をブロックするとき、オペレータが、リアクターの中で、可撓性スリーブのそばに立ち、ひもを用いてスリーブを閉じていた。このような充填停止の間、オペレータは、更に、充填された粒子の量をチェックする。
【先行技術文献】
【特許文献】
【０００８】
【特許文献１】国際公開第ＷＯ２０１０／０７６５２２号公報
【発明の概要】
【発明が解決しようとする課題】
【０００９】
オペレータにとって更に安全なシステムが求められる。
【００１０】
ホッパーのアウトレットを閉じるバルブを採用することも考えられる。しかしながら、オペレータがこのホッパーのバルブを閉じても、既にスリーブの中にある粒子が落下し続け、ディスペンス装置に達してしまうことになる。換言すれば、リアクターは、比較的長い間、つまり、可撓性スリーブが空になるなるまで、充填されてしまう。
【課題を解決するための手段】
【００１１】
本発明として提案されるアセンブリは、精製用リアクター又は石油化学リアクターに固体粒子を充填するアセンブリであって、リアクターへの固体粒子の充填が均質及び／又は均一となるように構成された、リアクターに固体粒子を充填するディスペンス装置と、概して上部から下部へ固体粒子が流れることが可能な、第一に固体粒子のリザーブに接続され、第二にディスペンス装置に接続される可撓性スリーブを含む、ディスペンス装置に固体粒子を供給する供給システムと、供給システムを制御する制御システムと、を有し、この制御システムが、可撓性スリーブの一部分に隣接し、動作する際、当該一部分においてこのスリーブの有効断面積を減じるように、可撓性スリーブの壁部を移動させるように構成された、可撓性スリーブの中を流れる固体粒子をブロックするブロック装置と、ブロック装置から遠隔的に配置された、ブロック装置の作動装置と、を有することを特徴とする。
【００１２】
従って、遠隔的に作動させることができる手段であって、ある部分で可撓性スリーブの壁部を、この部分を減じるように動かすことができる手段（有利には、固体粒子の通過をブロックするためにこの有効断面積を十分に減じるような手段）を設けることにより、オペレータをパイプから離れさせ、ブロック装置の作動装置のところに位置させることが可能となる。
【００１３】
更に、ブロック装置に隣接した可撓性スリーブの一部分において固体粒子をブロックする場合に、ディスペンス装置への供給が迅速に停止するように、ディスペンス装置に比較的近いところにブロック装置を位置させることが可能となる。
【００１４】
同じように、始動時において、ブロック装置のところで有効断面積が減じられた可撓性スリーブにおけるブロック装置よりも上流側の部分に固体粒子を充填することが可能である。スリーブが充填されると、スリーブは開放可能となり、比較的速やかに一定割合での充填に到達し、従って特定の充填品質が得られる。
【００１５】
有利には、固体粒子は、触媒粒子及び／又は不活性ビーズとすることができる。
【００１６】
このディスペンス装置は、任意に、完全に均質及び均一な充填を可能にするように構成することができる。特に、ディスペンス装置は、単純なノズルから排出して行われる充填と比べて、充填の均質性及び／又は均一性を改善するように構成することができる。このディスペンス装置は、より均一で均質な充填を行うため、垂直方向に対して直角な成分についての速度を固体粒子に与えるために、固体粒子を分散させる手段を含むことができる。これらの分散手段は、例えば、ブレード（例えば、フレキシブルストラップ）、及び、必要に応じてモーター（特に、これらのブレードの一端が垂直なシャフトに固定されている場合には、垂直軸周りにブレードを回転させるモーター）、及び／又は、放射状に開口する開口部、を含むことができる。
【００１７】
本発明は、分散手段の特定の形状に限定されるものではない。
【００１８】
有利には、この分散装置は、充填状態を監視するセンサー、及び、センサーからの計測値に応じて分散手段を作動させるアクチュエータを更に含むことができる。
【００１９】
「遠隔的に」とは、作動装置とブロック装置との間の距離が、リアクターのベースの半径よりも大きいか、又は、同一であることを意味する。従って、オペレータは、充填時に、リアクターの外側であって比較的遠い位置に立つことができる。
【００２０】
作動装置は、例えば、オペレータが後ろに立つことができるコントロールステーションのコンピュータを含むことができる。
【００２１】
有利な一実施形態において、ブロック装置は、作動した際に、可撓性スリーブの壁部の少なくとも一部分を他の壁部に対して押し付けるように構成することができる。
【００２２】
有利には、ブロック装置は、硬質又は半硬質の支持手段に対して可撓性スリーブの壁部を押し付けるように構成することもできる。
【００２３】
有利には、供給システムは、実際に、可撓性スリーブを通過させる硬質の（又は半硬質の、例えば、半硬質プラスチック製の）パイプを更に含むことができる。例えば、このパイプは、任意にディスペンス装置に接続させることができる。
【００２４】
従って、ブロック装置は、硬質パイプに対して可撓性スリーブの壁部を押して平らにするように構成することができる。
【００２５】
ブロック装置は、有利には、可撓性壁部に当接し、この可撓性壁部を移動させるような付勢要素（例えば、シャンクタイプの硬質要素、バルーンタイプの膨張要素など）を含むことができる。
【００２６】
ブロック装置は、例えば、硬質パイプに対して可撓性スリーブを押し付けるために、可撓性スリーブの長手方向に対して横断する方向へ動かすことができるようなシャンク（例えば、ピストンのシャンク、又は、ジャックシステムのシャンク）を含むことができる。このシャンクの端部には、シャンクと可撓性スリーブとの間の接触が比較的広い範囲となり、局部的にならないように、シャンクの長手方向に対し横断する方向に延在する支持部材を固定することができる。
【００２７】
有利には、このブロック装置は、動作の際の、非動作状態（可撓性スリーブの有効断面積が比較的大きく残っている状態）から動作状態（スリーブの有効断面積が減少するように、ブロック装置が可撓性スリーブの壁部を移動させる状態）への移行に適合したものとすることができる。
【００２８】
有利には、この装置は、作動装置からの命令又は不命令に従って、動作状態から非動作状態への移行に適したものとすることができる。システムは、ブロック装置が動作状態から非動作状態へ移行するとき、有効断面積を大きくするように、そして固体粒子が通過できるように、可撓性スリーブの壁部が移動するように構成することができる。
【００２９】
システムは、動作状態から非動作状態へ、そして動作状態へという移行の数サイクルをサポートするように構成することができる。換言すれば、オペレータは、所望のときに、何度でも、充填の停止と再開を選択することができる。
【００３０】
ブロック装置の作動は、空圧的及び／又は電気的な作用によるものとすることができる。しかしながら、空圧的な作動は、精製所における場合のように、爆発性雰囲気の環境である場合に、特に賢明であることを証明することができる。空圧的な作動は、特に、安全性の要件、例えば、ＡＴＥＸレギュレーション（爆発性雰囲気）等に、比較的容易に適合させることができる。
【００３１】
有利な一実施形態において、ブロック装置は、気体供給パイプに空圧的に接続されたバルーン要素を含むことができる。
【００３２】
従って、バルーンに空気を供給する命令が発せられたとき、バルーンは膨張し、固体粒子がブロックされたままとなるように、硬質パイプの壁部に対し可撓性スリーブを押し付ける。
【００３３】
バルーン要素は、非動作状態において比較的軽量でコンパクトであるという点で有利である。
【００３４】
有利には、及び、限定されることなく、ブロック装置がバルーンを含むとき、このバルーンは、単管によって空圧ネットワークに接続されることができる。例えば、この単管を空気供給管及びエスケープパイプに接続する空気分配要素を備えることもできる。従って、バルーンにおける空間的な要件は減少し、従って、人間が介入するための空間をはっきりと残すことができる。
【００３５】
他の一の実施形態においては、もちろん、空気を供給するためのインレット及び空気を排出するためのアウトレットが形成されたバルーンを備えることも可能である。
【００３６】
有利には、及び、限定されることなく、バルーンは、可撓性材料製の、気密的に結合された二つの平らなパーツ（例えば、ポリパラフェニレン・テレフタルアミド（poly(p-phenylene terephtalamide）製の又はケブラー（登録商標）製の二つのパーツ）を含むことができる。
【００３７】
強固な結合は溶着等によって得られる。従って、バルーンが収縮したとき、比較的平らな状態となる。
【００３８】
更に、ケブラー（登録商標）のような比較的硬い材料を選択することにより、膨張したバルーンのボリューム（時間が経過しても比較的安定的に残っているボリューム）を比較的正確に把握することができる。
【００３９】
もちろん本発明は、このタイプのバルーンに限定されるものではなく、可撓性材料（例えばゴム）のブローンバルーンを選択することができる。
【００４０】
有利には、及び、限定されることなく、ブロック装置は更に、概ね平らな形状の金属薄板要素をバルーンの内側に含むことができる。この金属薄板要素は、収縮状態において、バルーン要素を確実に平坦な状態にさせることができる。
【００４１】
作動システムは、加圧ガス（例えば空気）を供給することができるポンプ要素、バルーンを収縮させるための吸引ポンプ要素、圧力を監視するための圧力計測要素、バルーンに供給される加圧空気が、バルーンにおいてサポート可能な圧力と比較して過大に高圧となることを回避するための空気減圧弁要素、及び／又は、他の要素を含むことができる。
【００４２】
本発明は、もちろん、壁部をお互いに押し付けるように構成されたブロック装置には限定されない。
【００４３】
ブロック装置は、例えば、特定の部位において可撓性スリーブを取り囲むように適合されたコード（オペレータが両端を引っ張ったときに、可撓性スリーブの壁部が閉じて、固体粒子の通過を阻止されるように、離れた位置から引っ張るのに十分な長さを有するコード）、及び、リングを含むことができる。
【００４４】
更に、精製用リアクター及び／又は石油化学リアクターへの固体粒子の充填を管理する上記アセンブリを使用することも提案される。
【００４５】
有利には、固体粒子は、触媒粒子、及び／又は、不活性ビーズとすることができる。
【００４６】
更に、精製用リアクター及び／又は石油化学リアクターに固体粒子を充填するディスペンス装置（固体粒子の充填を均質化及び均一化するように構成されたディスペンス装置）に固体粒子を供給するシステム（第一に固体粒子のリザーブに接続され、第二にディスペンス装置に接続され、概して上部から下部へ固体粒子が中を流れる可撓性スリーブを含む供給システム）を制御する方法も提案される。この方法は、可撓性スリーブの中を流れる固体粒子をブロックする装置（可撓性スリーブの有効断面積を減じるように、可撓性スリーブの壁部を移動させるように構成された装置）の遠隔的な作動を命令するステップを含む。
【００４７】
この命令のステップは、充填中に又は充填前に発生させることができる。例えば、タンクが開いたときにスリーブが満たされるように、スリーブの有効断面積を減少させることができ、そしてこの方法は、減少したスリーブの有効断面積が増加するように、ブロックしないことを命令するステップを含むことができる。そして、スリーブを満たしている固体粒子は、充填装置へ向かって落下する。従って、閉じていない可撓性スリーブに対してタンクが開いた場合よりも迅速に、非適時的にフィットしたり開始されることなく、一定割合での充填に到達させることができる。換言すれば、ディスペンス装置の実際の充填の際に、比較的迅速に一定割合での充填に到達するように、スリーブには固体粒子が予め充填される。これは、このような移行時に、ディスペンス装置のいくつかの開口部がほとんど供給されない又は供給されないというリスクを制限させることができ、従って、高密度充填の場合に特に有利な、より優れた充填品質の保証を可能にする。
【００４８】
充填停止は、固体粒子のリザーブと可撓性スリーブの間の通路（例えばホッパーのバルブ）を閉じることによって始めることができる。そしてディスペンス装置内へ固体粒子が落下して、スリーブは空になる。
【００４９】
例えば、この方法は、可撓性スリーブを硬質の製品に対して押し付け、流れを停止させるように、可撓性スリーブと硬質パイプ（可撓性スリーブの一部分を受け入れる）の間に配置されたバルーンの膨張を命令するステップを含むことができる。
【００５０】
更に、上記方法におけるステップがプロセッサによって実行されるときに、それらのステップを実行させる指令を含むコンピュータプログラム製品が提案される。
【００５１】
上記方法は、実際に、プロセッサタイプの処理装置（例えばマイクロプロセッサ、マイクロコントローラ等）において実行されることができる。
【００５２】
本発明は、例としての実施形態を示す図面を参照することにより、より良く理解される。
【図面の簡単な説明】
【００５３】
【図１】図１は、本発明の一実施形態に係る充填アセンブリの一例を模式的に示す図である。
【図２】図２は、本発明の一実施形態に係る充填アセンブリを制御するシステムの一例を模式的に示す図である。
【図３】図３は、本発明の一実施形態に係るアセンブリのためのバルーン要素の一例を模式的に示す図である。
【図４】図４は、本発明の一実施形態に係る方法の一例を示す論理図である。
【発明を実施するための形態】
【００５４】
形状又は機能において同一又は類似の要素を示すために、ある一つの図面に使用されているものと同一の参照符号が、他の図面においても使用され得る。
【００５５】
図１に関し、リアクター１００は、固体粒子１０７のディスペンス装置１１０が通過する開口部１１３を有している。ディスペンス装置１１０は、国際公開公報ＷＯ２０１０／０７６５２２に記載されているタイプのものとすることができる。
【００５６】
このリアクター１００は、状況により高さが約５又は６メートル或いはそれ以上であり、そのベースの直径は、約３又は４メートル或いはそれ以上である。
【００５７】
ディスペンス装置１１０は、リアクター１００の底部に不活性ビーズ（図示せず）を充填し、更に触媒粒子（固体粒子１０７）も充填する。
【００５８】
この種のリアクター１００は、特に石油工業や石油化学工業において使用される。例えば、特定の温度・圧力条件下で、触媒床（固体粒子１０７）及び図示しない不活性ビーズ床を通って、炭化水素原料が流れるように構成された、当業者に周知の精製用リアクター又は石油化学リアクターとすることができる。固体触媒粒子は、金属化合物を含む多孔性の押出成形のビーズとすることができる。
【００５９】
本実施形態においては、ディスペンス装置１１０のアウトレットに配置されたブレード１１９（例えばストラップ状）が、リアクター１００内において固体粒子を好適に分散する。
【００６０】
ディスペンス装置１１０は、固体粒子が流通する開口部１１８を有している。
【００６１】
このディスペンス装置１１０は、金属製の本体又はドラム１１７、及び、ディスペンス装置に固体粒子を供給するための金属製又は金属以外の半硬質材料製の延長パイプ１１４を有している。延長パイプ１１４は、図示しないフープ材及びチューブによってドラム１１７上に搭載されている。
【００６２】
ディスペンス装置１１０は、ドラム１１７上に搭載されたアーム１３３及び各アーム１３３の端部のボール・ソケットベース１３４により、リアクター１００のプレート１５０の上に支持されている。
【００６３】
ディスペンス装置１１０には、供給システム２００によって固体粒子が供給される。この供給システム２００は、可撓性スリーブ１４０（例えば、可撓性プラスチック、布、繊維等によって形成されたスリーブ）を有している。
【００６４】
この可撓性スリーブ１４０は、第一に固体粒子のリザーブ１３０（例えば、ホッパー）に、第二にディスペンス装置１１０に、標準的な（本発明特有のものではない）接続手段によって接続されている。
【００６５】
ホッパー（リザーブ１３０）の排出バルブ１３１が開くと、重力により固体粒子１０７が可撓性スリーブ１４０内へ流れ、そしてディスペンス装置１１０に達する。
【００６６】
可撓性スリーブ１４０の一部分１４１は、延長パイプ１１４内に受け入れられ、通過している。
【００６７】
充填設備は、更に、エンクロージャ（リアクター１００）内への固体粒子の充填を制御する制御システム３００を含んでいる。
【００６８】
制御システム３００は、可撓性スリーブ１４０内を流れる固体粒子を阻止するブロック装置３１０を有している。この場合、ブロック装置３１０は、可撓性スリーブ１４０の一部分１４１と延長パイプ１１４の剛壁部との間に挿入されたバルーン３１１を有している。
【００６９】
バルーン３１１は、単管３１２に空圧的に接続されている。この単管３１２は、バルーン３１１への空気の供給、及び、収縮の際のバルーン３１１からの排気のために使用される。
【００７０】
制御システム３００は、ブロック装置３１０を作動させるための作動装置３５０を更に含んでいる。この作動装置３５０は、例えば、コンピュータ、スマートフォン、プログラマブルロジックコントローラ等であり、ブロック装置３１０から離れている。特に、この作動装置３５０は、エンクロージャ（リアクター１００）の外側に配置することができ、配置されることが好ましい。従って、もはやオペレータは、可撓性スリーブ１４０を閉じるために、エンクロージャ（リアクター１００）の中へ移動する必要がない。
【００７１】
作動装置３５０は、例えば、キーボード、スクリーン、及び／又は他の要素などのユーザーインターフェースを含むことができる。
【００７２】
遠隔制御コンソール３５１（図２参照）は、バルーン３１１を膨張させ、又は、収縮させるために、空圧ネットワーク３５２を調整する。
【００７３】
この遠隔制御コンソール３５１は、空圧ネットワーク３５２の空気供給管３５３及びエスケープパイプ３５４に接続することができる。この遠隔制御コンソール３５１は、空気供給管３５３から空気圧を減じる減圧弁３５５を含むことができる。実際に、バルーン３１１は、比較的低い圧力（例えば０．５バール以下）を許容するように構成することができる。
【００７４】
この減圧弁３５５は、空気供給管３５３の気圧を１バールから、例えば０．３バールまで変更させる。
【００７５】
“２／１”空気分配装置３５６は、バルーン３１１に接続されるパイプの数を１つに減じることができる。バルーン３１１の膨張の際、この空気分配装置３５６は、単管３１２と空気供給管３５３とを空圧的に接続し、単管３１２をエスケープパイプ３５４から絶縁する。反対に、バルーン３１１を収縮させようとするときには、空気分配装置３５６は、単管３１２を空気供給管３５３から絶縁し、単管３１２をエスケープパイプ３５４と接続する。
【００７６】
他の実施形態として、バルーン３１１に、相互に分離されたエアインレット及びエアアウトレットを設け、インレットパイプを空気供給管３５３と接続し、アウトレットパイプをエスケープパイプ３５４及び／又はバキュームポンプと接続することもできる。二つの各バルブが、バルーンを膨張／収縮させる。しかしながら、単管３１２がバルーン３１１に接続される図２の解決手法は、エンクロージャ（リアクター１００）内における空間的な要件（特に、マンホールにおける空間的な要件）を制限し、従って、求められた場合にプレートへの迅速なアクセスを可能にする。
【００７７】
オペレータがコンピュータ（作動装置３５０）に、スリーブ１４０を閉じる意図を示すデータを入力すると、コマンドメッセージが遠隔制御コンソール３５１に伝送され、空気分配装置３５６は、単管３１２を空気供給管３５３に接続する。バルーン３１１は、この空気供給管３５３からの空気の供給によって膨張する。延長パイプ１１４内におけるこのバルーン３１１の膨張は、延長パイプ１１４の剛壁部に対してスリーブ１４０の一部分１４１の壁部を押し付けて平らにし、従って、ディスペンス装置１１０へ向かう固体粒子の通過が阻止される。
【００７８】
本実施形態においては、図３に示す実施形態と同様に、バルーン３１１は、ケブラー（登録商標）製の二つの面を溶着して得られる。従って、このバルーン３１１は、収縮状態においては比較的平坦となる。このバルーン３１１の内側には、金属薄板要素３２２が配置されている。
【００７９】
従って、スリーブ１４０が延長パイプ１１４に向かって閉じられた場合でも、バルーン３１１を収縮させる命令を発することにより、固体粒子の流路を再び開くことができる。オペレータがそのような命令を入力した場合、遠隔制御コンソール３５１は、空気供給管３５３から単管３１２を絶縁し、バキュームポンプと流体的に連通しているエスケープパイプ３５４にこの単管３１２を接続する。そうすると、バルーン３１１内の空気が、このエスケープパイプ３５４へ排出される。バルーン３１１は、剛性を有する比較的平坦な材料で構成されているため、また、金属薄板要素３２２による構造を有しているため、このバルーン３１１は、再びもとの形になる。更に、スリーブ１４０も、再びもとの形になる、つまり、このスリーブ１４０のために選ばれた材料の選択の結果、及び／又は、このスリーブ１４０を通って固体粒子１０７が流れようとするため、バルーン３１１のところのスリーブ１４０の有効断面積が増加する。
【００８０】
図３は、本発明の一つの実施形態に係るバルーン要素（バルーン３１１’）のより明確な一例を示す。このバルーン要素は、図１において同一の参照符号３１１によって示されるバルーンと、特に空気の導入及び滞留の面において、僅かに相違している。このバルーン３１１’は、構造を付与するとともに、収縮状態において剛性を付加するために、金属薄板要素３２２’を有している。二つのネジ状インサート３２３及び１／４パイプピース３２４が、この金属薄板要素３２２’に溶着されている。これらのネジ状インサート３２３、１／４パイプピース３２４は、金属薄板要素３２２’の平面から突出している。
【００８１】
ネジ状インサート３２３は、ブラインドインサートであり、図１において参照符号１１４で示される延長パイプのようなタイプの硬質パイプに対し、バルーンを固定するために使用される。
【００８２】
１／４パイプピース３２４は、金属薄板要素３２２’の両側へ突き出ている。この１／４パイプピース３２４には、図１、図２において参照符号３１２で示される単管のようなタイプの空気導入・排出管を、シール状態で固定することができる。
【００８３】
バルーンの製造は、ネジ状インサート３２３、１／４パイプピース３２４を金属薄板要素３２２’に溶着した後、金属薄板要素３２２’におけるネジ状インサート３２３、１／４パイプピース３２４の位置に対応する位置に三つの開口を有するケブラー（登録商標）の第一シートを仮置きし、そして、この第一シートをネジ状インサート３２３、１／４パイプピース３２４の周りに、加硫処理により溶着して行う。次に、ケブラー（登録商標）の第二シートを金属薄板要素３２２’の反対側に置き、ケブラー（登録商標）構造体４２５の形となるように、第一シートと第二シートとをそれぞれの外周部のところで加硫処理により溶着する。
【００８４】
図４は、コンピュータ（作動装置３５０）によって実行可能な方法の一例を示す。
【００８５】
ユーザによって入力された、ユーザが充填の停止を望むことを示すデータの受信（ステップ４０１）に続いて、この方法は、この入力されたデータを、停止が短いことを示す値「ショート」と比較するステップ４１３を含む。このテスト４１３がネガティブであった場合、つまり、ユーザーが、長い停止又は最終停止に相当するデータを入力した場合、この方法は、図示しないアクチュエータ（図１において参照符号１３１で示される排出バルブのアクチュエータ）に、バルブ閉鎖メッセージ「クローズ  １３１」を送信するステップを含む。従って、第一ステージは、ステップ４１０において、ホッパー（リザーブ１３０）と充填設備の他の要素との間における接続を閉鎖することである。
【００８６】
そしてコンピュータは、図示しないセンサーから、スリーブ１４０が空になっているか否かを推定できる計測値を受信する。もし、これらの計測値から、スリーブが空になっていることが推定できる場合、図示しないステップにおいて「ｓ  エンプティ」というフラグが「１」にセットされる。
【００８７】
この方法は、「ｓ  エンプティ」というフラグの値が「１」と比較されるテストステップ４１１を含む。この値が「０」に等しい限り、ステップ４１２において、システムは待機状態となる。換言すれば、これらのステップ４１１，４１２は、スリーブが完全に空になるまで、待機時間を与える。
【００８８】
ディスペンス装置１１０のブレード１１９の回転速度を検出するセンサーにより、スリーブが空であることの検出を実行することができる。実際に、スリーブ１４０が空になったとき、回転速度が増加することが予想される。
【００８９】
スリーブが空になったら、システムは、ステップ４１４において、ディスペンス装置１１０のモーターを停止するためのメッセージを送出し、そしてユーザーは、エンクロージャ（リアクター１００）内への充填量の値を入力し、ステップ４１５においてこの値が受信され、そしてステップ４１６においてメモリーに保管される。
【００９０】
反対に、停止が短いことを示すデータをユーザーが入力した場合、つまり、テスト４１３がポジティブであった場合、システム（作動装置３５０）は、ステップ４１７において、スリーブ１４０を閉じるメッセージを遠隔制御コンソール３５１へ送信する。
【００９１】
そして、バルーンの膨張を確実にするために、バルーンの圧力が監視される。圧力値は、ステップ４５０において受信される。この値が、閾値０．３バールよりも小さかった場合（テスト４５１）、待機ステップ４５２が実行される。ステップ４５０，４５１，４５２は、圧力がこの閾値０．３バールに達し、或いは、超えたときにだけ抜け出すことができるループを形成する。システムがこのループの中に長居しすぎる場合に警告メッセージを送信するための追加のステップ（図示せず）を設けることもできる。
【００９２】
圧力センサーによるスリーブの閉鎖の監視は、オペレータがエンクロージャ（リアクター）から離れた位置に居られるので、従来技術において想定され得るような単純な聴覚的な監視よりも有効であり得る。
【００９３】
テスト４５１がネガティブとなり、スリーブの閉鎖が検出されたら、ホッパー（リザーブ１３０）の充填レベルに係るフラグの値に関し、テスト４１８が実行される。このホッパー（リザーブ１３０）が空であることをセンサーが検出した場合、「１３０  エンプティ」のフラグが「１」にセットされる。テスト４１８がポジティブとなった場合、つまり、ホッパー（リザーブ１３０）が空であると判断された場合、図示しないステップにおいて、このホッパー（リザーブ１３０）を満たすことをオペレータに促すメッセージが表示される。
【００９４】
更に、「１３０  エンプティ」のフラグの値に関する新しいテストステップ４１９、及び、待機ステップ４２０により、システムは、ホッパー（リザーブ１３０）が満たされない限り、待機状態に置かれる。
【００９５】
従って、充填の一時的な停止は、ホッパーの再充填のために利用される。スリーブの閉鎖により、移行時における低い割合（定常充填時の割合よりも低い割合）でのエンクロージャ（リアクター）への充填を防止できる。
【００９６】
テスト４１８又はテスト４１９が、ホッパー（リザーブ１３０）が少なくとも部分的に満たされていることを示している場合、オペレータは充填量の値を入力し、この値がステップ４２１において受信される。
【００９７】
更に、測定値（例えば、図１には示されないセンサー（例えば、充填された固体粒子１０７のベッドのレベルセンサー）によって得られた値）を受信する他のステップを設けることもできる。
【００９８】
この充填された固体粒子の量のチェックが実行されると、又は、ホッパーの充填が要求に応じて実行されると、システムは、ステップ４２２においてスリーブの開放のためのメッセージを送信する。そして、充填が再開される。
【００９９】
バルーン３１１は、ディスペンス装置１１０の近傍においてスリーブ１４０を閉鎖することができ、ディスペンス装置１１０は、エンクロージャ（リアクター）内への固体粒子の導入を比較的速やかに停止できる。実際に、この閉鎖の前に一部分１４１のところでスリーブ１４０の中にある固体粒子は、バルーンが収縮されない間、スリーブ１４０の内側に残っている。
【０１００】
図４に戻ると、更に、ステップ４２２の後、バルーンの収縮を確実にするために、バルーンの中の圧力を監視するステップ（図示せず）を設けることもできる。
【０１０１】
図４の論理図は、一時的に又は最終的に充填を中断させるプロセスを示す。充填を開始するには、排出バルブ１３１を開く前に、バルーン３１１を膨張させるメッセージを送信することが可能である。換言すれば、この排出バルブ１３１が開くと、スリーブ１４０は粒子で満たされる。スリーブが満たされているときだけ、バルーンを収縮させるためのコマンドが与えられる。そうすると、固体粒子は、ディスペンス装置１１０へ向かって移動することが可能となる。
【０１０２】
より正確には、この方法は、ディスペンス装置１１０の開口部１１８をセットするステップ、ブレード１１９を回転させるモータのスイッチを入れる命令を発するステップ、スリーブを閉鎖するメッセージを送信するステップ、排出バルブ１３１によってホッパーを開くメッセージを送信するステップ、スリーブが満たされるまで待機するステップ、スリーブを開くメッセージを送信するステップ、及び、ディスペンス装置１１０の回転速度を設定するステップを含むことができる。
【０１０３】
これらの様々なステップは、コンピュータ（作動装置３５０）の側にいるオペレータの管理下で、コンピュータ（作動装置３５０）において実行することができる。
【図１】
2019107649.tif 000003
【図２】
2019107649.tif 000004
【図３】
2019107649.tif 000005
【図４】
2019107649.tif 000006